(57)【特許請求の範囲】
【請求項１】
オーディオミキシングスタジオのモニタースピーカ（６）が備えられたスタジオ副調整室においてモニターする者が他の部屋にトークバック用のマイク（１）により音声を送るためのトークバック装置において、前記トークバック用のマイク（１）がひろった音から前記モニタースピーカ（６）からのモニター音を打ち消して除去するモニター音除去装置を設けたことを特徴とするトークバック装置。
【請求項２】
前記モニター音除去装置は、前記トークバック用のマイク（１）を介したアナログ音声信号と、前記モニタースピーカ（６）の入力アナログ信号の逆位相のアナログ信号とを加算する加算手段からなる請求項１記載のトークバック装置。
【請求項３】
前記モニター音除去装置は、前記トークバック用のマイク（１）を介したデジタル音声信号から前記モニタースピーカ（６）の入力となるデジタルモニター音信号を減算する減算手段からなる請求項１記載のトークバック装置。
【発明の詳細な説明】
【０００１】
【発明の属する技術分野】
本発明は各種放送用、およびレコーディング用等に使用されるオーディオミキシングスタジオの副調整室から他の部屋と連絡を取るトークバック装置に関する。
【０００２】
【従来の技術】
放送局、レコーディングスタジオ等では、例えば各種の楽器等が配置されるなどし、数多くの音源があり、それらを複数のマイクを介し音声信号に変換し、それをスタジオ副調整室内において音声調整卓を用いてミキシングし、調整する等の作業を行っている。
【０００３】
このスタジオ副調整室内には、調整した音声を試聴するためのモニタースピーカがあり、作業中は、常時大音量で調整卓の音声出力を試聴している。
【０００４】
この場合、スタジオ副調整室からスタジオや例えばアナウンスブース、映像ブースなどの他の部屋へトークバック装置を介し、何等かの指示をする等の連絡をする必要性が生じることがある。
【０００５】
図３は従来のトークバック装置である。図において１はスタジオ副調整室内に設けられたトークバック用のマイク、２はその音声信号を増幅する増幅器、６は同じくスタジオ副調整室内に設けられたモニタースピーカ、５はモニタースピーカ用の増幅器、１０はトークバックする際に、例えばミキサー操作者が操作するスイッチであり、モニター音がトークバック用のマイクに漏れるのを防ぐためにこのスイッチ１０をＯＮさせ、例えば増幅器５の電源を切ったり、ゲインを下げる等し、モニター音をカットまたはミュートするなどしている。
【０００６】
上記の如く構成されたトークバック装置によってトークバックする場合、前記のようにスタジオ副調整室では、常時大音量でモニタースピーカ６から音が鳴り響いているので、トークバックする者の声のみならずモニタースピーカ６から発したモニター音もトークバック用のマイク１に入ることになる。このため、モニタースピーカ６からの大音量が邪魔となる。
【０００７】
また、モニタースピーカ６から発せられたスタジオ等の音が、トークバック用のマイク１を介しトークバックされ、再び前記スタジオ等に戻る状況が生じ、ハウリング等の悪影響がおこる。
【０００８】
これらのために、トークバックする者の声が聴き取りにくくなる。このため、従来トークバックする場合は、モニタースピーカ６からのモニター音をカットまたはミュートする制御を行い作業が煩雑となっていた。
【０００９】
【発明が解決しようとする課題】
このように、従来においては、トークバックする場合、いちいち人為的にスイッチ１０を操作し、ＯＮしたり、トークバック終了後はＯＦＦにしたりしており、作業が煩雑である、という課題があった。
【００１０】
また、トークバックの際、スイッチ１０をＯＮしてしまうとモニタースピーカ６からのモニター音が途切れてしまうことになる。
【００１１】
しかし、モニター音はミキサー操作者のみならず、他の関係者も聞いており、かつ操作者自身もモニター音を途切れさせずに操作を続けたい場合が多く、モニター音が途切れるということは、調整作業に支障をきたす、という課題があった。
【００１２】
この発明は上記のことに鑑み提案されたもので、その目的とするところは、トークバックの際に、いちいちスイッチを操作する手間を省き、かつ  トークバックの際にもモニター音を聞くことができるトークバック装置を提供することにある。
【００１３】
【課題を解決するための手段】
上記課題を解決すべく本発明は、モニタースピーカ（６）が備えられたオーディオミキシングスタジオのスタジオ副調整室においてモニターする者が他の部屋にトークバック用のマイク（１）により音声を送るためのトークバック装置において、前記トークバック用のマイク（１）がひろった音から前記モニタースピーカ（６）からのモニター音を打ち消して除去するモニター音除去装置を設けたことを特徴とした。
【００１４】
また、前記モニター音除去装置は、前記トークバック用のマイク（１）を介したアナログ音声信号と、前記モニタースピーカ（６）の入力となるモニター音信号の逆位相のアナログ信号とを加算する加算手段を備えることとした。
【００１５】
また、前記モニター音除去装置は、前記トークバック用のマイク（１）を介したデジタル音声信号から前記モニタースピーカ（６）の入力となるデジタルモニター音信号を減算する減算手段を備えることとした。
【００１６】
【発明の実施の形態】
次に本発明の実施の形態について図面を参照し説明する。図１は本発明にかかるトークバック装置の第一実施例の基本構成を示す概念図である。この第一実施例はアナログ回路で構成される。
【００１７】
１はスタジオ副調整室内に設けられたトークバック用のマイク、２はその音声信号を増幅する増幅器、５はモニタースピーカ用の増幅器、６はスタジオ副調整室内に設けられたモニタースピーカ、５０はモニター音除去装置の第一実施例である。
【００１８】
モニター音除去装置５０は増幅器２の出力が通過する音声帯域フィルタ３，増幅器５の出力が通過する音声帯域フィルタ７、このフィルタを通過した信号の位相を反転する位相反転器８、この位相反転された信号と音声帯域フィルタ３を通過した信号を加算する加算手段４によって構成されている。
【００１９】
以下に、上記の如く構成されたトークバック装置によってトークバックする場合について説明する。スタジオ等のモニターされている部屋で音が発せられると、これらの音は音声信号としてスタジオ副調整室内に設けられた音声調整卓に送られ、音声調整卓で調整されたモニター音信号は増幅器５で増幅され、この増幅されたモニター音信号はモニタースピーカ６を介しモニター音とされるとともに音声帯域フィルタ７を介し位相反転器８に供給され、位相反転器８で位相が反転された位相反転信号となる。
【００２０】
また、トークバックする者の音声に加えて前記モニター音がトークバック用のマイク１を介し入力音声信号となり、この入力音声信号が増幅器２で増幅され、この増幅された音声信号が音声フィルタ３を通過した信号と、前記位相反転信号とが加算手段４で加算される。
【００２１】
これにより、トークバックされるのは、トークバック用のマイク１からの入力音声信号からモニター音信号を取り去った音声となる。すなわち、モニターする関係者がモニタースピーカ６の音を聴きながらトークバックしてもトークバックする者の音声を聴き取り易い形でスタジオ外の他の部屋に送ることができる。
【００２２】
以上のように第一実施例では、加算手段４でトークバック用のマイク１からの入力音声信号からモニター音信号が取り去られるので、モニタースピーカ６の音をカットあるいはミュートする必要はなくなる。
【００２３】
図２は本発明にかかるトークバック装置の第二実施例の基本構成を示す概念図である。第二実施例はデジタル回路で構成される。１はスタジオ副調整室内に設けられたトークバック用のマイク、２’はその音声信号を増幅し、デジタル信号とするＡ／Ｄ変換器兼増幅器、５’はモニタースピーカ用のデジタル増幅器、６’はこの増幅されたデジタル信号をアナログ信号にするＤ／Ａ変換器、６はこのアナログ信号を音声にするスタジオ副調整室内に設けられたモニタースピーカ、５１はモニター音除去装置である。
【００２４】
モニター音除去装置５１はＡ／Ｄ変換器兼増幅器２’で増幅されたデジタル音声信号が通過するデジタル音声帯域フィルタ３’，デジタル増幅器５’で増幅された信号が通過するデジタル音声帯域フィルタ７’、減算手段としてのデジタルシグナルプロセッサ（以後、ＤＳＰという）８で構成されている。
【００２５】
以下に、上記第二実施例の如く構成されたトークバック装置によってトークバックする場合について説明する。スタジオ等のモニターされている部屋で音が発せられると、これらの音は音声信号としてスタジオ副調整室内に設けられた音声調整卓に送られ、音声調整卓で調整されたデジタルモニター音信号はデジタル増幅器５’で増幅され、この増幅されたデジタルモニター音信号は６’のＤ／Ａ変換器でアナログモニター音信号とされ、モニタースピーカ６を介しモニター音とされる。また、前記デジタル増幅器５’で増幅されたデジタルモニター音信号はデジタル音声帯域フィルタ７’を介し第一デジタル音声信号とされ、ＤＳＰ８に供給される。
【００２６】
また、スタジオ副調整室内においてモニタースピーカ６からの音とトークバックする者の音声がトークバック用のマイク１を介し、入力音声信号とされ、この入力音声信号がＡ／Ｄ変換器兼増幅器２’で増幅され、デジタル音声信号とされ、このデジタル音声信号がデジタル音声フィルタ３’を介し第二デジタル音声信号とされ、ＤＳＰ８に供給される。
【００２７】
これにより、ＤＳＰ８は第二デジタル音声信号から第一デジタル音声信号を減算したデジタル信号を出力する。これにより、トークバックされるのは、トークバック用のマイク１からの入力音声信号からデジタルモニター音信号を取り去った音声となる。
【００２８】
すなわち、モニターする関係者がモニタースピーカの音を聴きながらトークバックしてもトークバックする者の音声を聴き取り易い形でスタジオなどに送ることができる。
図２では、ＤＳＰ８の処理を軽くするために、ＤＳＰ８の前にデジタル音声帯域フィルタ３’，７’を設置しているが、デジタル音声帯域フィルタ３’，７’の処理をＤＳＰ８で処理しても良い。
【００２９】
前記第一・第二実施例では、トークバックで伝えたい音を音声帯域フィルタを通過させ、周波数範囲を限定して次の処理をしているが、音声帯域フィルタは設けなくても良い。
【００３０】
以上説明した如く、トークバック装置を、アナログ回路で構成してもデジタル回路で構成しても、モニターする関係者が音をモニタースピーカで聴きながら、聴き取り易いトークバックを行うことができる。
【００３１】
【発明の効果】
以上のように本発明によれば、例えばミキサ操作者がモニタースピーカからの音をミュート等することなく、モニタースピーカの音を聴きながら、トークバックする者の音声を聴き取り易い状態でトークバックすることを可能とする。
【図面の簡単な説明】
【図１】本発明に係る第一実施例のトークバック装置の基本構成を示す概念図である。
【図２】本発明に係る第二実施例のトークバック装置の基本構成を示す概念図である。
【図３】従来例を説明する概念図である。
【符号の説明】
１    トークバック用のマイク
２    増幅器
３    音声帯域フィルタ
４    加算手段
５    増幅器
６    モニタースピーカ
７    音声帯域フィルタ
８    位相反転器
９    減算手段としてのＤＳＰ
２’  Ａ／Ｄ変換器兼増幅器
３’  デジタル音声帯域フィルタ
５’  デジタル増幅器
６’  Ｄ／Ａ変換器
７’  デジタル音声帯域フィルタ
１０    スイッチ
５０    モニター音除去装置の第一実施例
５１    モニター音除去装置の第二実施例
【図１】
0003593581.tif 000002
【図２】
0003593581.tif 000003
【図３】
0003593581.tif 000004